(57)【要約】【課題】観視者が疲労を感じることなく長時間観視することができる立体画像の表示システムを与える。【解決手段】視差を有する右眼用画像および左眼用画像を観視者に表示する表示システムであって、左右画像間の視差が異なる、右眼用画像および左眼用画像の複数種類の組み合わせを表示する表示部と、表示部が表示したいずれかの左右画像の組み合わせを選択して、観視者に観視させる選択部とを備える表示システムが与えられる。選択部は、観視者に装着され、表示部が表示した左右画像の組み合わせのうちのいずれかを選択して、観視者に対して通過させるメガネを有する。【選択図】図１
2012022149.tif 000002
【特許請求の範囲】
【請求項１】
視差を有する右眼用画像および左眼用画像を観視者に表示する表示システムであって、
左右画像間の視差が異なる、前記右眼用画像および前記左眼用画像の複数種類の組み合わせを表示する表示部と、
前記表示部が表示したいずれかの左右画像の組み合わせを選択して、前記観視者に観視させる選択部と
を備える表示システム。
【請求項２】
前記選択部は、前記観視者に装着され、前記表示部が表示した前記左右画像の組み合わせのうちのいずれかを選択して、前記観視者に対して通過させるメガネを有する
請求項１に記載の表示システム。
【請求項３】
前記表示部は、それぞれの前記右眼用画像および前記左眼用画像を時分割で表示し、
前記メガネは、選択すべき左右画像の組み合わせに含まれる前記右眼用画像および前記左眼用画像が前記表示部に表示されるタイミングに応じて光を前記観視者に通過させ、他のタイミングでは光を前記観視者に通過させない
請求項２に記載の表示システム。
【請求項４】
前記観視者の眼疲労量を検出する疲労検出部を更に備え、
前記選択部は、前記疲労検出部が検出した前記眼疲労量に応じて前記左右画像の組み合わせを選択する
請求項１から３のいずれか一項に記載の表示システム。
【請求項５】
前記選択部は、前記眼疲労量がより大きい場合に、視差がより小さい前記左右画像の組み合わせを選択する
請求項４に記載の表示システム。
【請求項６】
前記右眼用画像および前記左眼用画像の一方の画像について、他方の画像に対する視差が異なる複数種類の画像を生成する画像生成部を更に備え、
前記表示部は、前記画像生成部が生成した複数種類の画像と、前記他方の画像とを時分割で表示する
請求項３に記載の表示システム。
【請求項７】
前記画像生成部は、前記右眼用画像および前記左眼用画像の一方の画像が入力され、当該一方の画像の全体をシフトすることで、前記複数種類の画像のうちのひとつの画像を生成する
請求項６に記載の表示システム。
【請求項８】
前記表示部は動画像を表示し、
前記疲労検出部は、直前の予め定められた期間内において前記表示部に表示した前記右眼用画像および前記左眼用画像の特性を示す特性情報に基づいて、前記観視者の眼疲労量を検出する
請求項４に記載の表示システム。
【請求項９】
前記疲労検出部は、前記表示部に表示した前記右眼用画像および前記左眼用画像のフレーム間における、各被写体の視差量の変化、輝度の変化、および、コントラストの変化の少なくとも一つに基づいて、前記観視者の眼疲労量を検出する
請求項８に記載の表示システム。
【請求項１０】
前記疲労検出部は、前記観視者毎に前記眼疲労量を検出し、
前記選択部は、対応する前記眼疲労量に応じて、それぞれの前記観視者に対して前記左右画像の組み合わせを選択する
請求項４に記載の表示システム。
【請求項１１】
前記疲労検出部は、
前記観視者について、眼の動作の基準画像を予め格納する基準格納部と、
前記表示部が表示した画像を観視している前記観視者の眼の動作の画像を取得する眼画像取得部と、
前記眼画像取得部が取得した画像と、前記基準格納部が格納した前記基準画像とを比較して、前記観視者の前記眼疲労量を測定する疲労測定部と
を有する請求項４に記載の表示システム。
【請求項１２】
視差を有する右眼用画像および左眼用画像を観視者に表示する表示方法であって、
左右画像間の視差が異なる、前記右眼用画像および前記左眼用画像の複数種類の組み合わせを表示する表示段階と、
前記表示段階が表示したいずれかの左右画像の組み合わせを選択して、前記観視者に観視させる選択段階と
を備える表示方法。
【発明の詳細な説明】
【技術分野】
【０００１】
本発明は、表示システムおよび表示方法に関する。
【背景技術】
【０００２】
従来、異なる２つの視点から対象物を見ることにより得られる映像のずれである両眼視差を利用して立体映像を表示する表示装置が知られている。このような表示装置として、左右の視差画像を時分割で交互に表示し、かつ、それに同期して光シャッタのオン／オフを切り替えることにより、観視者に立体画像を表示するものがある（例えば、特許文献１参照）。
特許文献１  特開平９−４３５４０号公報
【発明の概要】
【発明が解決しようとする課題】
【０００３】
しかし、従来の立体表示装置は、視差が大きい場合に、輻輳に起因して観視者に疲労感等の生理的な悪影響を与えることがある。そのため、観視者は立体映像を長時間視聴することが困難であった。
【課題を解決するための手段】
【０００４】
上記課題を解決するために、本発明の第１の態様においては、視差を有する右眼用画像および左眼用画像を観視者に表示する表示システムであって、左右画像間の視差が異なる、右眼用画像および左眼用画像の複数種類の組み合わせを表示する表示部と、表示部が表示したいずれかの左右画像の組み合わせを選択して、観視者に観視させる選択部とを備える表示システムが与えられる。
【０００５】
なお、上記の発明の概要は、本発明の必要な特徴の全てを列挙したものではない。また、これらの特徴群のサブコンビネーションもまた、発明となりうる。
【図面の簡単な説明】
【０００６】
【図１】本実施形態にかかる表示システムを示す。
【図２Ａ】表示部１０に表示される左右画像の組み合わせの例を示す。
【図２Ｂ】表示部１０に表示される左右画像の組み合わせの例を示す。
【図３】表示部１０に時分割で表示される左右画像を示す。
【図４】表示部１０が画像を表示するタイミングと、メガネ３０が左右のレンズのオン／オフを切り替えるタイミングを示す。
【図５】観視者が複数の場合の表示部１０の表示タイミングと、メガネ３０のオン／オフ切替タイミングを示す。
【図６】疲労検出部４０の構成の一例を示す。
【図７】他の実施形態にかかる表示システムを示す。
【図８】画像生成部６０により複数種類の左右画像を生成する方法の一例を示す。
【発明を実施するための形態】
【０００７】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【０００８】
図１は、本実施形態にかかる、視差を有する右眼用画像および左眼用画像を観視者に表示する表示システム１００を示す。表示システム１００は、表示部１０と、メガネ３０と、画像取得部２０と、疲労検出部４０と、制御部５０とを備える。
【０００９】
表示部１０は、左右画像間の視差が異なる、右眼用画像および左眼用画像の複数種類の組み合わせを表示する。ここで、左右画像間の視差が異なる右眼用画像および左眼用画像の複数種類の組み合わせとは、同一被写体についての左右画像間の視差がそれぞれ異なる、左右画像の複数の組み合わせを指す。左右画像の組み合わせにおいて、左眼用画像および右眼用画像の一方は、他の左右画像と共通であってよい。
【００１０】
図２Ａおよび図２Ｂは、表示部１０の表示面に表示される右眼用画像および左眼用画像の組み合わせの一例を示す。図２Ａにおいて表示部１０は、視差Ｄ１を有する左眼用画像Ｌと右眼用画像Ｒ１の組み合わせを表示する。図２Ｂにおいて表示部１０は、視差Ｄ１と異なる視差Ｄ２を有する左眼用画像Ｌと右眼用画像Ｒ２の組み合わせを表示する。本例において視差Ｄ２は、視差Ｄ１に比べて視差量が大きい。このように、表示部１０は、視差の異なる左右画像の複数種類の組み合わせ（Ｌ、Ｒ１）および（Ｌ、Ｒ２）を時分割で表示する。
【００１１】
また、表示部１０は、右眼用画像と該右眼用画像に対して視差Ｄ１を有する左眼用画像との組み合わせ、および右眼用画像と該右眼用画像に対して視差Ｄ２を有する左眼用画像との組み合わせを表示してもよい。また、表示部１０は、視差Ｄ２より視差量の大きい視差を有する左右画像の組み合わせをさらに表示してもよい。
【００１２】
メガネ３０は、表示部１０が表示したいずれかの左右画像の組み合わせを選択して、観視者に観視させる。メガネ３０は、表示部１０が表示した左右画像の組み合わせ（Ｌ、Ｒ１）または（Ｌ、Ｒ２）のいずれかを選択して観視者に観視させてよい。メガネ３０は、観視者に装着され、表示部１０が表示した左右画像の組み合わせのうちのいずれかを選択して、観視者に対して通過させてよい。
【００１３】
メガネ３０は、表示部１０からの光を観視者の左右の眼に対して透過させまたは遮断するシャッタとして機能してよい。メガネ３０の左右のレンズ部分は、液晶により構成されてよい。メガネ３０は、左右のレンズ部分のオン／オフの切替を、表示部１０が時分割で表示するタイミングと同期させることにより、左右画像の組み合わせを選択する。
【００１４】
つまり、メガネ３０は、表示部１０が選択すべき右眼用画像を表示するタイミングで、左眼側のレンズをオフにし、右眼側のレンズをオンにして、右眼にのみ表示部１０からの光を透過させるように機能する。また、メガネ３０は、表示部１０が選択すべき左眼用画像を表示するタイミングで、右眼側のレンズをオフにし、左眼側のレンズをオンにして、左眼にのみ表示部１０からの光を透過させるように機能する。こうして、メガネ３０は、表示部１０が表示したいずれかの左右画像の組み合わせを選択して観視者に観視させる。
【００１５】
疲労検出部４０は、観視者の眼疲労量を検出する。ここで、眼疲労量とは、観視者が視差を有する左右画像を観視する際に感じる疲労の量を指す。眼疲労量は、観視者の眼球の動き、まばたきの回数などにより測定することができる。眼疲労量は、視差がより大きい左右画像の組み合わせを観視する場合により大きくなる。
【００１６】
画像取得部２０は、外部から与えられる複数種類の左右画像データの組み合わせを取得し、表示部１０に時分割で画像データを送信する。例えば、画像取得部２０は、眼間距離だけ離れた２台のカメラにより撮像された画像データ、および、そのうちの１台に対して眼間距離より大きい距離だけ離れたカメラにより撮像された画像データを取得する。
【００１７】
制御部５０は、疲労検出部４０からの眼疲労量に関する信号を受信し、メガネ３０および画像取得部２０の動作を制御する。具体的には、制御部５０は、疲労検出部４０からの信号に応答してメガネ３０の左右のレンズのオン／オフ切替のタイミングを制御してよい。つまり、制御部５０は、疲労量がより少ない場合には、より大きい視差を有する左右画像の組み合わせを選択するようにメガネ３０を制御し、疲労量がより多い場合には、より小さい視差を有する左右画像の組み合わせを選択するようにメガネ３０を制御してよい。また、制御部５０は、画像取得部２０を通じて、表示部１０が画像を時分割で表示するタイミングを制御してよい。
【００１８】
図３は、表示部１０が、時分割で画像を表示する様子を示す。本実施形態において、表示部１０は、それぞれの右眼用画像Ｒ１、Ｒ２および左眼用画像Ｌを時分割で表示してよい。例えば、表示部１０は、左眼用画像Ｌ、左眼用画像Ｌに対して視差Ｄ１を有する右眼用画像Ｒ１および左眼用画像Ｌに対して視差Ｄ２を有する右眼用画像Ｒ２を時分割で表示する。上記したように、視差Ｄ２は視差Ｄ１より大きい。
【００１９】
図４は、表示部１０が画像を表示するタイミングと、メガネ３０が左右のレンズのオン／オフを切り替えるタイミングを示す。メガネ３０は、選択すべき左右画像の組み合わせに含まれる右眼用画像および左眼用画像が表示部１０に表示されるタイミングに応じて光を観視者に通過させ、他のタイミングでは光を観視者に通過させない。ここで、選択すべき左右画像の組み合わせとは、観視者の眼疲労量に応じて選択すべき視差を有する左右画像の組み合わせを指す。選択すべき左右画像の組み合わせは、眼疲労量によって決定される左右画像の組み合わせ（Ｌ、Ｒ１）および（Ｌ、Ｒ２）のいずれかであってよい。
【００２０】
次に、表示部１０とメガネ３０の動作について説明する。まず、選択すべき左右画像の組み合わせが（Ｌ、Ｒ１）である例について説明する。時刻ｔ１において、表示部１０は左眼用画像Ｌを表示する。このタイミングにおいてメガネ３０は、左眼レンズをオン（Ｌｏｎ）にし、右眼レンズをオフ（Ｒｏｆｆ）にする。こうすることにより、メガネ３０は、観視者の左眼に左眼用画像Ｌの光を透過させ、右眼には光を透過させない。
【００２１】
時刻ｔ２において、表示部１０は右眼用画像Ｒ１を表示する。このタイミングにおいてメガネ３０は、左眼レンズをオフ（Ｌｏｆｆ）にし、右眼レンズをオン（Ｒｏｎ）にする。こうすることにより、メガネ３０は、観視者の右眼に右眼用画像Ｒ１の光を透過させ、左眼には光を透過させない。
【００２２】
時刻ｔ３において、表示部１０は右眼用画像Ｒ２を表示する。このタイミングにおいてメガネ３０は、左眼レンズをオフ（Ｌｏｆｆ）にし、右眼レンズをオフ（Ｒｏｆｆ）にする。こうすることにより、メガネ３０は、観視者の両眼に光を透過させない。つまり、本例において右眼用画像Ｒ２は選択されない。こうして時刻ｔ１からｔ３において、メガネ３０は、左右画像の組み合わせ（Ｌ、Ｒ１）を選択したことになる。観視者は、選択された左右画像の組み合わせ（Ｌ、Ｒ１）に基づいて、立体映像を観視することができる。
【００２３】
次に、選択すべき左右画像の組み合わせが（Ｌ、Ｒ２）である例について説明する。時刻ｔ４において、表示部１０は左眼用画像Ｌを表示する。このタイミングにおいて、メガネ３０は、左眼レンズをオン（Ｌｏｎ）にし、右眼レンズをオフ（Ｒｏｆｆ）にする。こうすることにより、メガネ３０は、観視者の左眼に左眼用画像Ｌの光を透過させ、右眼には光を透過させない。
【００２４】
時刻ｔ５において、表示部１０は右眼用画像Ｒ１を表示する。このタイミングにおいて、メガネ３０は、左眼レンズをオフ（Ｌｏｆｆ）にし、右眼レンズをオフ（Ｒｏｆｆ）にする。こうすることにより、メガネ３０は、観視者の両眼に光を透過させない。つまり、本例において右眼用画像Ｒ１は選択されない。
【００２５】
時刻ｔ６において、表示部１０は右眼用画像Ｒ２を表示する。このタイミングにおいて、メガネ３０は左眼レンズをオフ（Ｌｏｆｆ）にし、右眼レンズをオン（Ｒｏｎ）にする。こうすることにより、メガネ３０は、観視者の右眼に右眼用画像Ｒ２の光を透過させ、左眼に光を透過させない。こうして、時刻ｔ４からｔ６において、メガネ３０は、左右画像の組み合わせ（Ｌ、Ｒ２）を選択したことになる。観視者は、選択された左右画像の組み合わせ（Ｌ、Ｒ２）に基づいて、立体映像を観視することができる。
【００２６】
図４に示す実施形態において、表示部１０が左眼用画像または右眼用画像を表示するタイミングと、メガネ３０の左眼レンズおよび右眼レンズのオン／オフが切り替わるタイミングとは同期するのが好ましい。同期させる方法としては、制御部５０からのトリガー信号により画像取得部２０とメガネ３０の同期をとる方式、画像取得部２０が取得した画像に同期パターンを埋め込んで、当該パターンをメガネ３０側で認識したときにメガネ３０のオン／オフを切り替える方式などがある。
【００２７】
メガネ３０は、疲労検出部４０が検出した眼疲労量に応じて左右画像の組み合わせを選択してよい。具体的には、メガネ３０は、眼疲労量がより大きい場合に、視差がより小さい左右画像の組み合わせを選択する。例えば、メガネ３０は、眼疲労量がより大きい場合に視差がより小さい左右画像の組み合わせ（Ｌ、Ｒ１）を選択する。上記したように、左右画像の組み合わせの選択は、メガネ３０の左右レンズのオン／オフを切り替えるタイミングを調節することにより実行することができる。
【００２８】
図４に示す例では、時刻ｔ１からｔ３におけるメガネ３０の動作が、眼疲労量がより大きい場合に相当する。つまり、眼疲労量がより大きい場合には、左右画像の視差量がより小さい左右画像の組み合わせ（Ｌ、Ｒ１）が選択される。時刻ｔ４からｔ６におけるメガネ３０の動作が、眼疲労量が比較的小さい場合に相当する。つまり、眼疲労量が比較的小さい場合には、左右画像の視差量がより大きい左右画像の組み合わせ（Ｌ、Ｒ２）が選択される。
【００２９】
こうすることにより、眼疲労量がより大きい場合には眼疲労量が低減するように視差のより小さい左右画像の組み合わせが選択されて、観視者の眼に表示される。その結果、輻輳に起因する生理的な悪影響を低減できる。したがって、観視者は、長時間にわたって立体映像を鑑賞することができる。
【００３０】
表示部１０は動画像を表示してよい。この場合、疲労検出部４０は、直前の予め定められた期間内において表示部１０に表示した右眼用画像および左眼用画像の特性を示す特性情報に基づいて、観視者の眼疲労量を検出してよい。ここで、直前の予め定められた期間とは、疲労検出部４０が観視者の眼疲労量を検出する時刻の手前の所定の時間間隔を指す。特性情報とは、表示部１０に表示した右眼用画像および左眼用画像のフレーム間における、各被写体の視差量の変化、輝度の変化、および、コントラストの変化の少なくとも一つであってよい。
【００３１】
つまり、疲労検出部４０は、右眼用画像および左眼用画像のフレーム間における各被写体の視差量の変化、輝度の変化、および、コントラストの変化の少なくともひとつを、ある基準値データと比較し、差分をとることにより眼疲労量を検出してよい。また疲労検出部４０は、一定時間間隔で複数回にわたって、フレーム間での特性情報と基準値データとの差分をとり、それらを平均することにより眼疲労量を検出してもよい。
【００３２】
図５は、観視者が複数の場合の表示部１０の表示タイミングと、メガネ３０のオン／オフ切替タイミングの一例を示す。本例において、疲労検出部４０は、観視者毎に眼疲労量を検出する。つまり、輻輳に起因する疲労の度合いには個人差がある。そのため、観視者毎に眼疲労量を検出し、疲労の度合いに応じて制御を行うのが好ましい。この場合、ひとつの疲労検出部４０により、複数の観視者の眼疲労量を時間差で検出してよい。また、観視者に対応する数の疲労検出部４０を設け、複数の観視者の眼疲労量を同時に検出してもよい。
【００３３】
メガネ３０は、対応する眼疲労量に応じて、それぞれの観視者に対して左右画像の組み合わせを選択してよい。つまり、メガネ３０は、複数の観視者の疲労度合いに応じて、異なる視差を有する左右画像の組み合わせをそれぞれ選択してよい。例えば、メガネ３０は、眼疲労量のより小さい観視者に対しては、より大きい視差を有する左右画像の組み合わせ（Ｌ、Ｒ２）を選択し、眼疲労量のより大きい観視者に対しては、より小さい視差を有する左右画像の組み合わせ（Ｌ、Ｒ１）を選択する。
【００３４】
本例において、観視者Ａはメガネ３０−１を装着し、観視者Ｂはメガネ３０−２を装着しているとする。時刻ｔ１において、表示部１０は左眼用画像Ｌを表示する。このタイミングにおいてメガネ３０−１およびメガネ３０−２は、左眼レンズをオン（Ｌｏｎ）にし、右眼レンズをオフ（Ｒｏｆｆ）にする。こうすることにより、メガネ３０−１およびメガネ３０−２は、観視者Ａおよび観視者Ｂの左眼に左眼用画像Ｌの光を透過させ、右眼には光を透過させない。
【００３５】
時刻ｔ２において、表示部１０は右眼用画像Ｒ１を表示する。このタイミングにおいて、メガネ３０−１は、左眼レンズをオフ（Ｌｏｆｆ）にし、右眼レンズをオン（Ｒｏｎ）にする。こうすることにより、メガネ３０−１は、観視者Ａの右眼に右眼用画像Ｒ１の光を透過させ、左眼には光を透過させない。一方、メガネ３０−２は、左眼レンズをオフ（Ｌｏｆｆ）にし、右眼レンズもオフ（Ｒｏｆｆ）にする。こうすることにより、メガネ３０−２は観視者Ｂの両眼に光を透過させない。
【００３６】
時刻ｔ３において、表示部１０は右眼用画像Ｒ２を表示する。このタイミングにおいて、メガネ３０−１は、左眼レンズをオフ（Ｌｏｆｆ）にし、右眼レンズをオフ（Ｒｏｆｆ）にする。こうすることにより、メガネ３０−１は観視者Ａの両眼に光を透過させない。一方、メガネ３０−２は、左眼レンズをオフ（Ｌｏｆｆ）にし、右眼レンズをオン（Ｒｏｎ）にする。こうすることにより、メガネ３０−２は観視者Ｂの右眼に右眼用画像Ｒ２の光を透過させ、左眼には光を透過させない。
【００３７】
時刻ｔ１からｔ３における例は、疲労検出部４０が検出する眼疲労量が観視者Ｂよりも観視者Ａの方が大きい場合を示している。メガネ３０−１は、より小さい視差を有する左右画像の組み合わせ（Ｌ、Ｒ１）を選択する。一方、メガネ３０−２は、より大きい視差を有する左右画像の組み合わせ（Ｌ、Ｒ２）を選択する。つまり、メガネ３０−１およびメガネ３０−２は、観視者Ａおよび観視者Ｂの眼疲労量に応じて、左右画像の組み合わせを選択したことになる。
【００３８】
時刻ｔ４において、表示部１０は左眼用画像Ｌを表示する。このタイミングにおいてメガネ３０−１およびメガネ３０−２は、左眼レンズをオン（Ｌｏｎ）にし、右眼レンズをオフ（Ｒｏｆｆ）にする。こうすることにより、メガネ３０−１およびメガネ３０−２は、観視者Ａおよび観視者Ｂの左眼に左眼用画像Ｌの光を透過させ、右眼には光を透過させない。
【００３９】
時刻ｔ５において、表示部１０は右眼用画像Ｒ１を表示する。このタイミングにおいて、メガネ３０−１は、左眼レンズをオフ（Ｌｏｆｆ）にし、右眼レンズをオフ（Ｒｏｆｆ）にする。こうすることにより、メガネ３０−１は観視者Ａの両目に光を透過させない。一方、メガネ３０−２は、左眼レンズをオフ（Ｌｏｆｆ）にし、右眼レンズをオン（Ｒｏｎ）にする。こうすることにより、メガネ３０−２は観視者Ｂの右眼に右眼用画像Ｒ１の光を透過させ、左眼には光を透過させない。
【００４０】
時刻ｔ６において、表示部１０は右眼用画像Ｒ２を表示する。このタイミングにおいて、メガネ３０−１は、左眼レンズをオフ（Ｌｏｆｆ）にし、右眼レンズをオン（Ｒｏｎ）にする。こうすることにより、メガネ３０−１は観視者Ａの右眼に右眼用画像Ｒ２の光を透過させ、左眼には光を透過させない。一方、メガネ３０−２は、左眼レンズをオフ（Ｌｏｆｆ）にし、右眼レンズをオフ（Ｒｏｆｆ）にする。こうすることにより、メガネ３０−２は、観視者Ｂの両眼に光を透過させない。
【００４１】
時刻ｔ４からｔ６における例は、疲労検出部４０が検出する眼疲労量が観視者Ａよりも観視者Ｂの方が大きい場合を示している。メガネ３０−１はより大きい視差を有する左右画像の組み合わせ（Ｌ、Ｒ２）を選択する。一方、メガネ３０−２はより小さい視差を有する左右画像の組み合わせ（Ｌ、Ｒ１）を選択する。つまり、メガネ３０−１およびメガネ３０−２は、観視者Ａおよび観視者Ｂの眼疲労量に応じて、左右画像の組み合わせを選択したことになる。
【００４２】
こうすることにより、それぞれの観視者の眼疲労量に応じて、左右画像の組み合わせが選択されて、それぞれの観視者の眼に表示される。その結果、疲労度合いに個人差がある場合であっても、輻輳に起因する生理的な悪影響を低減できる。したがって、複数の観視者は、長時間にわたって立体映像を鑑賞することができる。
【００４３】
図６は、疲労検出部４０の構成の一例を示す。疲労検出部４０は、基準格納部１１０、眼画像取得部１２０、および、疲労測定部１３０を有する。基準格納部１１０は、観視者について、眼の動作の基準画像を予め格納する。ここで、基準画像とは、基準となる時刻に撮像された比較の対象となる眼の画像を指す。基準画像は、起床時のような疲労のないときの眼の画像、就寝時のような疲労のあるときの眼の画像、および、画像を観始めたときの眼の画像のいずれかであってよい。基準画像は、動画であってもよい。基準格納部１１０は、基準画像の画素数に応じた容量を有するメモリであってよい。
【００４４】
眼画像取得部１２０は、表示部１０が表示した画像を観視している観視者の眼の動作の画像を取得する。ここで、眼の動作とは、眼球の動き、まばたきの回数などであってよい。眼画像取得部１２０は、ＣＣＤカメラであってよい。
【００４５】
疲労測定部１３０は、眼画像取得部１２０が取得した画像と、基準格納部１１０が格納した基準画像とを比較して、観視者の眼疲労量を測定する。疲労測定部１３０は、基準画像と取得画像とを比較し、眼球の動き、まばたき回数、眼球の色または形状などの変化から眼疲労量を測定してよい。具体的には、疲労測定部１３０は、基準画像と取得画像との間で、画像データから抽出されるパラメータ量の差分をとることにより眼疲労量を測定してよい。疲労測定部１３０は、眼疲労量の測定を実行する演算装置を有してよい。
【００４６】
図７は、他の実施形態にかかる表示システム１００を示す。本例において、表示システム１００は画像取得部２０と表示部１０との間に接続された画像生成部６０をさらに備える。画像生成部６０は、右眼用画像および左眼用画像の一方の画像について、他方の画像に対する視差が異なる複数種類の画像を生成する。画像生成部６０は、画像取得部２０から右眼用画像および左眼用画像の一方の画像を取得してよい。画像生成部６０は、取得した画像に基づいて、視差の異なる複数種類の画像を生成してよい。
【００４７】
例えば、画像生成部６０は、左眼用画像を取得し、左眼用画像の全体をシフトすることで、左眼用画像に対して視差を有する右眼用画像を生成する。つまり、シフト量を視差と略同一とすることにより、左眼用画像に対して、視差を有する右眼用画像を生成することができる。画像生成部６０は、シフト量を変化させることにより、視差の異なる複数種類の画像を生成することができる。表示部１０は、画像生成部６０が生成した複数種類の画像と、他方の画像とを時分割で表示してよい。
【００４８】
図８は、画像生成部６０が取得した画像に基づいて複数種類の画像を生成する方法の一例を示す。本例において、画像生成部６０は、画像取得部２０から左眼用画像Ｌを取得する。画像生成部６０は、入力された左眼用画像Ｌの全体をシフトすることで、右眼用画像Ｒ１および右眼用画像Ｒ２を生成してよい。例えば、左眼用画像Ｌおよび右眼用画像Ｒ１の横方向におけるシフト量が視差Ｄ１と略同一となるように、与えられた左眼用画像Ｌの全体をシフトして右眼用画像Ｒ１を生成する。
【００４９】
同様に、左眼用画像Ｌおよび右眼用画像Ｒ２の横方向におけるシフト量が視差Ｄ１より大きい視差Ｄ２と略同一となるように、与えられる左眼用画像Ｌの全体をシフトして右眼用画像Ｒ２を生成する。つまり、画像生成部６０は、ひとつの左眼用画像Ｌをもとにして、所定の視差量Ｄ１だけ画像全体が水平方向にシフトした右眼用画像Ｒ１を生成してよい。また、画像生成部６０は、ひとつの左眼用画像Ｌをもとにして、所定の視差量Ｄ２だけ画像全体が水平方向にシフトした右眼用画像Ｒ２を生成してよい。制御部５０は、画像生成部６０の動作を制御してよい。
【００５０】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００５１】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００５２】
１０・・・表示部、２０・・・画像取得部、３０・・・メガネ、４０・・・疲労検出部、５０・・・制御部、６０・・・画像生成部、１００・・・表示システム、１１０・・・基準格納部、１２０・・・眼画像取得部、１３０・・・疲労測定部
【図１】
2012022149.tif 000003
【図２Ａ】
2012022149.tif 000004
【図２Ｂ】
2012022149.tif 000005
【図３】
2012022149.tif 000006
【図４】
2012022149.tif 000007
【図５】
2012022149.tif 000008
【図６】
2012022149.tif 000009
【図７】
2012022149.tif 000010
【図８】
2012022149.tif 000011